(57)【要約】【課題】感光体の長寿命化を実現し、且つ出力画像における画像品質を維持する画像形成装置を提供する。【解決手段】画像形成装置１０は、感光体５８と、直流電圧に交流電圧を重畳したバイアス電圧を印加して感光体５８を帯電させる帯電装置６０と、帯電装置６０により適用される交流電圧及び交流電流の少なくとも一方を制御する制御装置５２と、感光体５８と帯電装置６０との間に流れる直流電流を検知する環境センサ６８とを有する。制御装置５２は、所定の交流電圧を印加した場合の感光体５８と帯電装置６０との間に流れる直流電流の変動量に応じて、交流電圧及び交流電流の少なくとも一方を制御する。【選択図】図４
2007192992.tif 000002
【特許請求の範囲】
【請求項１】
感光体と、
直流電圧に交流電圧を重畳したバイアス電圧を印加して前記感光体を帯電させる帯電手段と、
前記帯電手段により適用される交流電圧及び交流電流の少なくとも一方を制御する制御手段と、
前記感光体と前記帯電手段との間に流れる直流電流を検知する検知手段と
を有し、
前記制御手段は、所定の交流電圧を印加した場合の前記感光体と前記帯電手段との間に流れる直流電流の変動量に応じて、前記交流電圧及び交流電流の少なくとも一方を制御することを特徴とする画像形成装置。
【請求項２】
前記制御手段は、前記交流電圧の変化に応じて、前記直流電流の変動量が変化する場合の変曲点を含む所定の範囲内となるよう前記交流電圧及び交流電流の少なくとも一方を制御することを特徴とする請求項１に記載の画像形成装置。
【請求項３】
環境を検知する環境検知手段を有し、前記制御手段は、前記環境検知手段の検知結果に応じて制御の初期値を変化することを特徴とする請求項１に記載の画像形成装置。
【請求項４】
前記感光体は、１０００回転あたりの磨耗量が２０ｎｍ以下であることを特徴とする請求項１乃至３いずれか記載の画像形成装置。
【請求項５】
前記感光体は、少なくとも電荷輸送層を有し、この電荷輸送層の厚さが２５μｍ以下であることを特徴とする請求項１乃至４いずれか記載の画像形成装置。
【発明の詳細な説明】
【技術分野】
【０００１】
本発明は、プリンタ、複写機又はファクシミリ等の画像形成装置に関するものである。
【背景技術】
【０００２】
この種の画像形成装置において、感光体に均一な帯電を付与するために直流電圧に交流電圧を重畳したバイアス電圧を印加する帯電装置が広く用いられている。このバイアス電圧における交流電圧を感光体表面電位が飽和点以下となる値まで低下させると、該感光体の帯電むらによる画像ディフェクト（像欠け、色変わり等）が発生し、出力画像における品質が低下することが知られている。そこで、感光体に印加するバイアス電圧を制御し、該感光体の帯電むらを防止する技術が公知である（例えば特許文献１及び特許文献２）。
【０００３】
【特許文献１】特許第３４１６８２６号公報
【特許文献２】特開２００４−３３３７８９号公報
【発明の開示】
【発明が解決しようとする課題】
【０００４】
一方で、感光体の表層に高硬度の材質を用いて感光体表面の摩耗を抑制し、該感光体を長寿命化する技術も知られている。しかしながら、感光体表面の摩耗が抑制されると、該感光体表面に放電生成物が堆積し、この放電生成物による画像ディフェクト（像欠け、色変わり等）が発生する問題があった。この放電生成物の発生を抑制するためには、感光体に印加する交流電圧を下げる必要があるが、上述したように該交流電圧を感光体表面電位の飽和点以下となる値まで下げると帯電むらによる画像ディフェクトが発生する。上記いずれの従来技術においても、帯電むらと放電生成物の発生との双方を抑制するのは困難であった。
【課題を解決するための手段】
【０００５】
本発明の目的とするところは、感光体の長寿命化を実現し、且つ出力画像における画像品質を維持する画像形成装置を提供することにある。
【０００６】
上記目的を達成するため、本発明の特徴とするところは、感光体と、直流電圧に交流電圧を重畳したバイアス電圧を印加して前記感光体を帯電させる帯電手段と、前記帯電手段により適用される交流電圧及び交流電流の少なくとも一方を制御する制御手段と、前記感光体と前記帯電手段との間に流れる直流電流を検知する検知手段とを有し、前記制御手段は、所定の交流電圧を印加した場合の前記感光体と前記帯電手段との間に流れる直流電流の変動量に応じて、前記交流電圧及び交流電流の少なくとも一方を制御することを特徴とする画像形成装置。したがって、高い硬度を有する感光体を用いても、帯電むらと放電生成物の発生とが抑制されるので、感光体の長寿命化を実現し、且つ出力画像における画像品質を維持することができる。尚、本発明において直流電流の変動量とは、所定のバイアスを印加した場合の直流電流値の変動量を意味し、例えば、直流電流値の最大値と最小値の差分を意味する。その他、統計的計算方法などによって、変動量を演算する場合を含む。
【０００７】
好適には、前記制御手段は、前記交流電圧の変化に応じて、前記直流電流の変動量が変化する場合の変曲点を含む所定の範囲内となるよう前記交流電圧及び交流電流の少なくとも一方を制御する。したがって、高い硬度を有する感光体を用いても、帯電むらと放電生成物の発生とが抑制される。
【０００８】
好適には、環境を検知する環境検知手段を有し、前記制御手段は、前記環境検知手段の検知結果に応じて制御の初期値を変化する。したがって、初期値を設定するまでの時間が短縮される。
【０００９】
好適には、前記感光体は、１０００回転あたりの磨耗量が２０ｎｍ以下である。したがって、感光体の長寿命化が実現される。
【００１０】
好適には、前記感光体は、少なくとも電荷輸送層を有し、この電荷輸送層の厚さが２５μｍ以下である。したがって、帯電不良による白点状の画像欠陥を防止することができる。
【発明の効果】
【００１１】
本発明によれば、感光体と帯電手段との間に流れる直流電流の変動量に応じて交流電圧及び交流電流の少なくとも一方が制御されるので、感光体の長寿命化を実現し、且つ出力画像における画像品質を維持することができる。
【発明を実施するための最良の形態】
【００１２】
次に本発明の実施形態を図面に基づいて説明する。
図１において、本発明の実施形態に係る画像形成装置１０が示されている。この画像形成装置１０は、画像形成装置本体１２を有し、この画像形成装置本体１２内に中間転写ベルト１４が配置されている。この中間転写ベルト１４に対して例えば４つの像形成手段１６が並列配置されており、画像形成装置１０はいわゆるタンデム方式となっている。像形成手段１６は、それぞれイエロー，マゼンダ，シアン，ブラックの各色のトナー像を中間転写ベルト１４上に形成する。
【００１３】
画像形成装置本体１２の下部にはシート供給装置１８が設けられている。シート供給装置１８は、シートが積載されるシート供給カセット２０と、このシート供給カセット２０に積載されたシートをピックするピックアップロール２２と、シートを捌きながら送り出すフィードロール２４及びリタードロール２６とを有する。シート供給カセット２０は、画像形成装置本体１２に対して着脱自在に設けられており、普通紙、ＯＨＰシート等の被転写体としてのシートが積載収納されている。
【００１４】
画像形成装置本体１２の一端付近（図中左端付近）には、シート供給路２８がほぼ鉛直方向に沿って設けられている。このシート供給路２８には、搬送ロール２９、レジストロール３０、２次転写ロール３２、定着装置３４及び排出ロール３６が設けられている。レジストロール３０は、シート供給路２８へ送り出されたシートを一次停止させ、タイミングをとって２次転写ロール３２へ送る。定着装置３４は、加熱ロール３４ａと加圧ロール３４ｂとからなり、加熱ロール３４ａと加圧ロール３４ｂとの間を通過するシートに熱と圧力を加えることによりシートにトナー像を定着するようになっている。
【００１５】
画像形成装置本体１２の上部には、排出トレイ部３８が設けられている。前述した排出ロール３６により排出トレイ部３８へトナー像が定着されたシートが排出され、この排出トレイ部３８に積層される。したがって、シート供給カセット２０のシートは、順次Ｃ字状のパスを通って排出トレイ部３８に排出される。
【００１６】
画像形成装置本体１２の他端側（図中右端側）には、例えば４つのトナーボトル４０が設けられている。該トナーボトル４０は、イエロー、マゼンダ、シアン、ブラックの各トナーが収容され、図示しないトナー供給路を介して像形成手段１６にトナーを供給するようになっている。
【００１７】
中間転写ベルト１４は複数の搬送ロール４２に支持され、前述した像形成手段１６が設けられているベルト面は、水平方向に対して斜めになっている。搬送ロール４２の一つが２次転写ロール３２のバックアップロールを構成している。また、中間転写ベルト１４の上端近傍には、中間ベルト用清掃装置４４が配置され、搬送ロール４２の他の一つが該清掃装置４４のバックアップロールを構成している。さらに中間転写ベルト１４の上部には、テンションロール４６が配置され、このテンションロール４６により中間転写ベルト１４に対して適度なテンションを与えている。
【００１８】
像形成手段１６は、中間転写ベルト１４の一面に設けられた像形成ユニット４８と、中間転写ベルト１４の裏面に設けられた１次転写ロール５０とから構成されている。像形成ユニット４８は、画像形成装置本体１２に対して着脱自在であり、一度下方に移動させた後、図中手前方向に引き出すことができるようになっている。
【００１９】
また、画像形成装置本体１２内には制御装置５２が配設されており、画像形成装置本体１２内の各装置の制御を行なうようになっている。
【００２０】
図２において、像形成手段１６の詳細が示されている。像形成ユニット４８は、ユニット本体５６を有し、該ユニット本体５６に中間転写ベルト１４に対峙する感光体５８と、この感光体５８を帯電させる、例えばロールから構成された帯電装置６０と、例えばＬＥＤ（light emitting diode：発光ダイオード）から構成され、感光体５８上に光を照射して潜像を形成する露光装置６２と、この露光装置６２により形成された感光体５８上の潜像をトナーにより現像する現像装置６４と、転写後に感光体５８上に残ったトナーを清掃する清掃装置６６とが収納されている。
【００２１】
現像装置６４は、例えば２成分方式であり、トナーとキャリアからなる現像剤が用いられ、例えば水平方向に平行に配置された２本のオーガ７０，７２と、排出側オーガ７２の斜め上部に配置された現像ロール７４とを有し、現像剤をオーガ７０，７２により攪拌して現像ロール７４に供給する。現像ロール７４では、キャリアによる磁気ブラシが形成され、この磁気ブラシによりキャリアに付着したトナーを搬送し、感光体５８上の潜像をトナーにより現像する。
【００２２】
清掃装置６６は、クリーニングロール７６とクリーニングブラシ７８とを有する。クリーニングロール７６は、感光体５８に接触すると共に、回転可能に設けられており、クリーニングブラシ７８は、感光体５８に接触するようにクリーニングロール７６よりも感光体５８の回転方向上流側に配置されている。クリーニングブラシ７８は、感光体５８の表面に付着した残留トナーを該クリーニングブラシ７８に吸着するか、該クリーニングブラシ７８の回転方向下流側へ掻き落として除去する。クリーニングロール７６は、クリーニングブラシ７８によって除去されず感光体５８の表面に残留したトナーを吸着して感光体５８から除去する。
【００２３】
また、像形成ユニット本体５６に感光体５８の周辺環境を検知する環境検知手段としての環境センサ６８が設けられている。この環境センサ７６は、制御装置５２（図１に示す）と接続されており、感光体５８周辺の温度及び湿度を検知して検出結果を制御装置５２に出力するようになっている。
【００２４】
上記構成において、中間転写ベルト１４と感光体５８とが同期して互いに反対方向に回転し、帯電装置６０により感光体５８の表面が帯電され、露光装置６２により潜像が形成される。この露光装置６２により形成された感光体５８上の潜像は現像装置６４により現像される。この現像装置６４により現像されたトナー像は１次転写ロール５０により中間転写ベルト１４に転写される。各像形成手段１６で形成された各色のトナー像は中間転写ベルト１４が移動するのに伴って重ねられる。
【００２５】
一方、シート供給装置１８のシート供給カセット２０に積層されたシートは、ピックアップロール２２、フィードロール２４、リタードロール２６等により一枚ずつシート供給路２８へ送り出される。このシート供給路２８に送り出されたシートはレジストロール３０に当接し、一時停止され、タイミングをとって２次転写ロール３２へ送る。そして、この２次転写ロール３２により中間転写ベルト１４のトナー像がシートに転写される。トナー像が転写されたシートはさらに定着装置３４に送られ、熱と圧力によりシートにトナー像が定着される。この定着装置３４によりトナー像が定着されたシートは、排出ロール３６により排出トレイ部３８に排出される。
【００２６】
次に、感光体５８及び帯電装置６０について詳述する。
図３は、感光体５８及び帯電装置６０の構成を模式的に示した図である。
感光体５８は機能分離タイプの積層型となっており、例えばアルミニウムからなるドラム基体８０上に例えば４つの層が積層されている。中間層８２は、ドラム基体８０上に積層され、導電をはじめ種々の機能に用いられる。電荷発生層は８４は、中間層８２上に例えば膜厚１μｍ以下の薄層で積層されており、例えば樹脂バインダ中に顔料微粒子の状態で電荷発生材料を分散した層である。電荷輸送層８６は、例えば１５〜２５μｍの膜厚で電荷発生層８４上に積層されており、電荷輸送材料を樹脂バインダ中に分散溶解した層である。なお、感光体５８の表層に高硬度の材質を用いる場合は、帯電不良による白点状の画像欠陥が発生することがあるため、電荷発生層８４が２５μｍ以下の膜厚となるようにするのが好ましい。
【００２７】
表面保護層（表層）８８は、例えば３〜５μｍの膜厚で電荷輸送層８６上に積層されており、高い硬度を有する材質、例えばａ−ＳｉＮ：Ｈ膜、Ｓｉを含まないａ−Ｃ：Ｈ膜やａ−Ｃ：Ｈ：Ｆ膜などが用いられ、１０００回転（１Ｋサイクル）あたりの磨耗量が２０ｎｍ以下となる耐摩耗性を有する。このように、電荷輸送層８６に高硬度の材質を用いると、感光体５８表層の摩耗が抑制され、該感光体５８表面に放電生成物が堆積することがあるが、この放電生成物を抑制する方法は後述する。
【００２８】
帯電装置６０は、直流電源９０、交流電源９２及び帯電ロール９６を有する。直流電源９０は、帯電バイアス電源の直流成分として直流電圧を生成する。交流電源９２は、制御装置５２の制御に応じて交流成分の電圧（交流電圧（Ｖｐｐ：peak to peak voltage））を生成し、生成された交流電圧（Ｖｐｐ）を直流電源９０により生成された直流成分の電圧（直流電圧）に重畳し、帯電バイアス電圧とする。帯電ロール９６は、感光体５８に接触しており、直流電源９０及び交流電源９２により生成された帯電バイアス電圧を用いて感光体５８の表面を帯電させる。
【００２９】
制御装置５２は、電流計９４、電流変動算出部９８及び電圧制御部１００を有する。電流計９４は、感光体５８と帯電装置６０との間を流れる直流成分の電流値（直流電流（Ｉｄｃ））を検出し、電流変動算出部９８に出力する。なお、この電流計９４により、感光体５８と帯電装置６０との間を流れる交流電流（Ｉａｃ）を検出するようにしてもよい。電流変動算出部９８は、直流電流（Ｉｄｃ）に基づいて直流電流の変動量（ΔＩｄｃ）を算出し、算出結果を電圧制御部１００に出力する。電圧制御部１００は、電流変動算出部９８より出力される直流電流の変動量（ΔＩｄｃ）と、環境センサ６８より出力される温度及び湿度値とに基づいて交流電圧（Ｖｐｐ）を制御する。
【００３０】
図４（ａ）は、交流電圧（Ｖｐｐ）と感光体５８の表面電位（Ｖｓ）との関係を示したものである。
図４（ａ）に示すように、交流電圧（Ｖｐｐ）を増加させると、感光体５８の表面電位（Ｖｓ）は線形に増加し、その後飽和する特性がある。交流電圧（Ｖｐｐ）が感光体５８の表面電位（Ｖｓ）の飽和点以下（図４（ａ）の△で表した領域）である場合には感光体５８の表面に帯電むらが起こりやすい。また、交流電圧（Ｖｐｐ）が感光体５８の表面電位（Ｖｓ）の飽和点以上であっても、所定値を超えると（図４（ａ）の×で表した領域になると）、放電生成物が発生して感光体５８表面に放電生成物が堆積する。したがって、帯電むらが実質的に生じない下限から放電生成物が実質的に発生しない上限の範囲、すなわち感光体５８の表面電位（Ｖｓ）の飽和点以上の所定の範囲内（図４（ａ）の○で表した領域）で交流電圧（Ｖｐｐ）を制御する必要がある。
また、この感光体５８の表面電位（Ｖｓ）の飽和点は、画像形成装置本体１２内の温湿度により変化する特性もある。すなわち、該飽和点は、高温高湿時に交流電圧（Ｖｐｐ）の低い方（図４（ａ）の左方向）へ移動し、低温低湿時に交流電圧（Ｖｐｐ）の高い方（図４（ａ）の右方向）へ移動する。
【００３１】
図４（ｂ）は、交流電圧（Ｖｐｐ）と直流電流の変動量（ΔＩｄｃ）との関係を示したものである。直流電流の変動量（ΔＩｄｃ）は、上述した図４（ａ）と対比すると、感光体５８の表面電位（Ｖｓ）が飽和点以下（例えば図４（ｂ）の△で表した領域）では、帯電むらが起こりやすいので、直流電流の変動量（ΔＩｄｃ）の値が大きい。直流電流の変動量（ΔＩｄｃ）は、交流電圧（Ｖｐｐ）を増加させると、感光体５８の表面電位（Ｖｓ）の飽和点付近（図４（ｂ）の○で表した領域）で徐々に低下し、さらに交流電圧（Ｖｐｐ）を増加させると（図４（ｂ）の×で表した領域）小さな値を維持する特性がある。この交流電圧（Ｖｐｐ）に対する直流電流の変動量（ΔＩｄｃ）の変化における特性を利用して、帯電むらが実質的に生じない下限から放電生成物が実質的に発生しない上限の範囲で交流電圧（Ｖｐｐ）を制御する。具体的には、直流電流の変動量（ΔＩｄｃ）が所定の参照範囲内（例えば図４（ｂ）のΔＩａｃ（ａ１）〜ΔＩａｃ（ａ２））にあるように交流電圧（Ｖｐｐ）を制御する。
【００３２】
直流電流の変動量（ΔＩｄｃ）おける参照範囲は、以下のように定めることができる。交流電圧（Ｖｐｐ）の変化に対する直流電流の変動量（ΔＩｄｃ）の変化（図４（ｂ）の曲線Ｓ）を例えば３つの領域（例えば直流電流の変動量（ΔＩｄｃ）の変化の大きい部分と他の部分）に分割し、各領域において直線近似し、それぞれの直線における２つの交点（例えば図４（ｂ）のａ１及びａ２）における各直流電流の変動量（例えば図４（ｂ）のΔＩｄｃ（ａ１），ΔＩｄｃ（ａ２））間を参照範囲とする。
あるいは、交流電圧（Ｖｐｐ）の変化に対する直流電流の変動量（ΔＩｄｃ）の変化の割合、すなわち所定の傾き（図４（ｂ）の傾きα）を有する範囲を参照範囲としてもよい。また、交流電圧（Ｖｐｐ）の変化に対する直流電流の変動量（ΔＩｄｃ）の変化（図４（ｂ）の曲線Ｓ）の変曲点（図４の変曲点ｂ）を基準として一定の領域を参照範囲としてもよい。
【００３３】
次に、制御装置５２における交流電圧（Ｖｐｐ）の設定方法について説明する。
図５は、初期設定処理（Ｓ１０）を説明するフローチャートである。この初期設定処理（Ｓ１０）は、通常の印刷処理より前に行なわれる。
【００３４】
図５に示すように、ステップＳ１００において、制御装置５２は、環境センサ６８から出力される温度及び湿度値に基づいて、開始電圧（Ｖｐｐ（ｓ））を設定する（例えば、温度３０°及び湿度８０％の条件での開始電圧（Ｖｐｐ（ｓ））は１２００Ｖ）。
このように、環境センサ６８の出力値より開始電圧（Ｖｐｐ（ｓ））を設定することにより、後述する初期電圧（Ｖｐｐ（ｉ））の設定までの時間（待機時間）が短縮され、また、感光体５８の表面電位（Ｖｓ）の飽和点が画像形成装置本体１２内の温湿度により変化している場合であっても最適な開始電圧（Ｖｐｐ（ｓ））を設定することができる。
【００３５】
ステップＳ１０５において、制御装置５２は、開始電圧（Ｖｐｐ（ｉ））を所定電圧（例えば５Ｖ）増加させ、このときの電流計９４により出力される直流電流の変動量（ΔＩｄｃ）を参照する。
【００３６】
ステップＳ１１０において、制御装置５２は、ステップＳ１０５において参照された直流電流の変動量（ΔＩｄｃ）が参照範囲（例えば図４（ｂ）に示す）の上限値以下か否かを判定し、上限値以下の場合はステップＳ１１５の処理に移行し、その他の場合は再度ステップＳ１０５の処理に移行する。
【００３７】
ステップＳ１１５において、制御装置５２は、ステップＳ１０５において参照された直流電流の変動量（ΔＩｄｃ）に対応する交流電圧（Ｖｐｐ）を初期電圧（Ｖｐｐ（ｉ））に設定する。
【００３８】
このように、制御装置５２は、ステップＳ１０５〜ステップＳ１１０の処理を所定回数繰り返すことにより、交流電圧（Ｖｐｐ）を開始電圧（Ｖｐｐ（ｓ））から所定の電圧（例えば５Ｖ）ずつ増加させて、後述する帯電制御処理（Ｓ２０）に用いられる初期値としての初期電圧（Ｖｐｐ（ｉ））を設定する。
【００３９】
図６は、帯電制御処理（Ｓ２０）を説明するフローチャートである。この帯電制御処理（Ｓ２０）は、通常の印刷処理時に行なわれる。
【００４０】
図６に示すように、ステップＳ２００において、制御装置５２は、上述した初期設定処理（Ｓ１０）により設定された初期電圧（Ｖｐｐ（ｉ））を中心に所定電圧（例えばプラス側に５Ｖ、マイナス側に５Ｖ）変化させ、このときの電流計９４により出力されるそれぞれの直流電流の変動量（ΔＩｄｃ）を参照する。
【００４１】
ステップＳ２０５において、制御装置５２は、ステップＳ２００において交流電圧（Ｖｐｐ）をプラス側に変化（例えば＋５Ｖ）させたときの直流電流の変動量（ΔＩｄｃ）が参照範囲（例えば図４（ｂ）に示す）内か否かを判定し、参照範囲内の場合はステップＳ２１０の処理に移行し、参照範囲から外れている場合はステップＳ２２５の処理に移行する。
【００４２】
ステップＳ２１０において、制御装置５２は、ステップＳ２００において交流電圧（Ｖｐｐ）をマイナス側に変化（例えば−５Ｖ）させたときの直流電流の変動量（ΔＩｄｃ）が参照範囲（例えば図４（ｂ）に示す）内か否かを判定し、参照範囲内の場合はステップＳ２１５の処理に移行し、参照範囲から外れている場合はステップＳ２２０の処理に移行する。
【００４３】
ステップＳ２１５において、制御装置５２は、上述した初期電圧（Ｖｐｐ（ｉ））を設定電圧（Ｖｐｐ（ｃ））とする。すなわち、制御装置５２は、初期電圧（Ｖｐｐ（ｉ））を中心に所定電圧（例えばプラス側に５Ｖ、マイナス側に５Ｖ）変化させても直流電流の変動量（ΔＩｄｃ）が参照範囲内にある場合には、初期電圧（Ｖｐｐ（ｉ））が電圧設定範囲内（図４（ｂ）に示す）の中心値近傍にあると判断し、交流電圧（Ｖｐｐ）の設定を変更しない。
【００４４】
ステップＳ２２０において、制御装置５２は、上述した初期電圧（Ｖｐｐ（ｉ））に所定電圧（例えば５Ｖ）を加算した電圧値を設定電圧（Ｖｐｐ（ｃ））とする。すなわち、制御装置５２は、交流電圧（Ｖｐｐ）をプラス側に変化（例えば＋５Ｖ）させたときの直流電流の変動量（ΔＩｄｃ）が参照範囲内で、交流電圧（Ｖｐｐ）をマイナス側に変化（例えば−５Ｖ）させたときの直流電流の変動量（ΔＩｄｃ）が参照範囲外であるので、初期電圧（Ｖｐｐ（ｉ））が電圧設定範囲（図４（ｂ）に示す）の下限値近傍にあると判断し、交流電圧（Ｖｐｐ）の設定値を増加させる。
【００４５】
ステップＳ２２５において、制御装置５２は、ステップＳ２００において交流成電圧（Ｖｐｐ）をマイナス側に変化（例えば−５Ｖ）させたときの直流電流の変動量（ΔＩｄｃ）が参照範囲（例えば図４（ｂ）に示す）内か否かを判定し、参照範囲内の場合はステップＳ２３０の処理に移行し、参照範囲から外れている場合はステップＳ２３５の処理に移行する。
【００４６】
ステップＳ２３０において、制御装置５２は、上述した初期電圧（Ｖｐｐ（ｉ））に所定電圧（例えば５Ｖ）を減算した電圧値を設定電圧（Ｖｐｐ（ｃ））とする。すなわち、制御装置５２は、交流電圧（Ｖｐｐ）をマイナス側に変化（例えば−５Ｖ）させたときの直流電流の変動量（ΔＩｄｃ）が参照範囲内で、交流電圧（Ｖｐｐ）をプラス側に変化（例えば＋５Ｖ）させたときの直流電流の変動量（ΔＩｄｃ）が参照範囲外であるので、初期電圧（Ｖｐｐ（ｉ））が電圧設定範囲（図４（ｂ）に示す）の上限値近傍にあると判断し、交流電圧（Ｖｐｐ）の設定値を減少させる。
【００４７】
ステップＳ２３５において、制御装置５２は、上述した初期設定処理（Ｓ１０）のステップＳ１００へ移行し、再度初期電圧（Ｖｐｐ（ｉ））を設定する。すなわち、制御装置５２は、交流電圧（Ｖｐｐ）をプラス側に変化（例えば＋５Ｖ）させたときの直流電流の変動量（ΔＩｄｃ）が参照範囲外で、交流電圧（Ｖｐｐ）をマイナス側に変化（例えばー５Ｖ）させたときの直流電流の変動量（ΔＩｄｃ）も参照範囲外であるので、初期電圧（Ｖｐｐ（ｉ））が電圧設定範囲（図４（ｂ）に示す）の外にあると判断し、再度初期電圧（Ｖｐｐ（ｉ））を設定する。
【００４８】
なお、Ｓ２００において、初期設定処理（Ｓ１０）により設定された初期電圧（Ｖｐｐ（ｉ））を中心に所定電圧変化させているが、ステップＳ２２０、ステップＳ２１５及びステップＳ２３０において設定電圧（Ｖｐｐ（ｃ））が設定された後は、該設定電圧（Ｖｐｐ（ｃ））を中心に所定電圧変化させ、さらに、ステップＳ２０５、ステップＳ２１０及びステップＳ２２５において、該設定電圧（Ｖｐｐ（ｃ））の変化に対応する直流電流の変動量（ΔＩｄｃ）が参照範囲内であるか否かを判断する。
【００４９】
このように、制御装置５２は、上述したステップＳ２００からステップＳ２２０、ステップＳ２１５及びステップＳ２３０の処理を繰り返し、設定電圧（Ｖｐｐ（ｃ））が電圧設定範囲のほぼ中心にあるように制御する。したがって、感光体５８の表面電位（Ｖｓ）の飽和点以上の所定範囲内、すなわち帯電むらが実質的に生じない下限から放電生成物が実質的に発生しない上限の範囲となるよう交流電圧（Ｖｐｐ）を制御することができる。さらに、感光体５８の表面電位（Ｖｓ）の飽和点が画像形成装置本体１２内の温湿度により変化している場合であっても最適な設定電圧（Ｖｐｐ（ｃ））を決定することができる。
【００５０】
以上のように、本発明は、制御装置５２により感光体５８と帯電装置６０との間に流れる直流電流の変動量に応じて交流電圧及び交流電流の少なくとも一方を制御するようにしたので、高い硬度を有する感光体を用いても、帯電むらと放電生成物の発生とが抑制することができ、もって感光体の長寿命化を実現し、且つ出力画像における画像品質を維持することが出来る。
また、本発明は、感光体表面電位測定装置等の大型装置を必要とせず、簡易なセンサを設ける構成により実現することができるので、低コスト且つ装置のコンパクト化を実現することができる。
【００５１】
なお、本発明においては、制御装置５２による帯電制御に交流電圧（Ｖｐｐ）を用いたが、これに限定せず、交流電流（Ｉａｃ）を用いて制御してもよい。
【産業上の利用可能性】
【００５２】
以上述べたように、本発明は、感光体及び帯電装置が設けられた画像形成装置に利用することができる。
【図面の簡単な説明】
【００５３】
【図１】本発明の実施形態に係る画像形成装置を示す側面図である。
【図２】本発明の実施形態に係る像形成手段を示す縦断面図である。
【図３】本発明の実施形態に係る感光体及び帯電装置の構成を示す模式図である。
【図４】本発明の実施形態に係る感光体の帯電に関し、（ａ）は交流電圧（Ｖｐｐ）と感光体表面電位（Ｖｓ）との関係を示すグラフであり、（ｂ）は交流電圧（Ｖｐｐ）と直流電流の変動量（ΔＩｄｃ）との関係を示すグラフである。
【図５】本発明の実施形態に係る帯電装置における交流電圧（Ｖｐｐ）の初期設定処理を説明するフローチャートである。
【図６】本発明の実施形態に係る帯電装置による帯電制御処理を説明するフローチャートである。
【符号の説明】
【００５４】
１０  画像形成装置
５２  制御装置
５８  感光体
６０  帯電装置
８６  電荷輸送層
９４  電流計
【図１】
2007192992.tif 000003
【図２】
2007192992.tif 000004
【図３】
2007192992.tif 000005
【図４】
2007192992.tif 000006
【図５】
2007192992.tif 000007
【図６】
2007192992.tif 000008